(57)【要約】      （修正有）【課題】軽量かつコンパクトなものとし、また組立て易く施工時やメンテナンスの際にも容易に着脱できるように配慮した、スイッチやコンセント電気接続部からの発火による拡大被害を縮小するための耐火カバーの取付構造を提供する。【解決手段】スイッチ２やコンセント３などの電気機器が取り付けられる電気機器取付構造であって、前記電気機器が電源ケーブルと接続される電気接続部と、耐火性材料からなる略四角形状の耐火カバー６と、を備え、前記耐火カバーは一面が開口した開口部と、前記電気接続部に接続される前記電源ケーブルを貫通させるための貫通孔と、を有し、前記開口部に前記電気機器を挿入し、前記耐火カバーを前記電気機器に直接取り付けることで前記電気接続部を覆い、前記電気機器と前記耐火カバーを一体的に被取付部に取り付けることを特徴とする電気機器取付構造。【選択図】図２
2010283001.tif 000002
【特許請求の範囲】
【請求項１】
スイッチやコンセントなどの電気機器が取り付けられる電気機器取付構造であって、
前記電気機器が電源ケーブルと接続される電気接続部と、
耐火性材料からなる略四角形状の耐火カバーと、を備え、
前記耐火カバーは一面が開口した開口部と、
前記電気接続部に接続される前記電源ケーブルを貫通させるための貫通孔と、を有し、
前記開口部に前記電気機器を挿入し、前記耐火カバーを前記電気機器に直接取り付けることで前記電気接続部を覆い、
前記電気機器と前記耐火カバーを一体的に被取付部に取り付けることを特徴とする電気機器取付構造。
【請求項２】
前記電気機器と、前記耐火カバーの一方に係止部を、
他方に係止具受部を設けたことを特徴とする請求項１に記載の電気機器取付構造。
【請求項３】
前記耐火カバーは薄い金属板からなることを特徴とする請求項１乃至２の何れか１項に記載の電気機器取付構造。
【請求項４】
前記貫通孔を複数備えたことを特徴とする請求項１乃至３の何れか１項に記載の電気機器取付構造。
【請求項５】
前記貫通孔に、樹脂製のブッシュを取り付けたことを特徴とする請求項１乃至４の何れか１項に記載の電気機器取付構造。
【請求項６】
請求項１乃至５の何れか１項に記載の電気機器取付構造によって電気機器を取り付けたキャビネット。
【請求項７】
請求項６に記載のキャビネットを備えた、洗面化粧台。
【発明の詳細な説明】
【技術分野】
【０００１】
本発明は、住宅設備用のスイッチやコンセントなどの電気機器が取り付けられる電気機器取付構造に係り、特にキッチンユニットや洗面化粧ユニットのキャビネットなどに組み付けるのに好適な、スイッチやコンセントなどの電気機器が取り付けられる電気機器取付構造に関する発明である。 
【背景技術】
【０００２】
従来、キッチンユニットや洗面化粧ユニットなどのキャビネットには機器に電源を供給するために組み込まれるスイッチやコンセントを備えるものがあり、スイッチやコンセントの電気接続部周辺に耐火構造を設けていないものが知られている。前記キャビネットは木製の部材などで構成されているものが多く、洗面化粧ユニットの化粧キャビネットにおいては熱可塑性の樹脂材料で作成されているため、万一スイッチやコンセントの電気接続部からの発熱により発火に至った際には、木材に引火したり、樹脂が溶けてしまい、さらには前記キャビネットを取付けている壁面を焦がしてしまうなどの課題があった。
【０００３】
このような課題を解決するために、従来の住宅設備に用いられるスイッチやコンセントでは、金属製の取付け枠に取付けられ、前記取付け枠を金属製のボックスにネジで止めるものが知られている。 
このようなものは、前記金属製のボックスを予め壁に埋め込み、前記ボックス内にスイッチやコンセントの背面にある電気接続部から接続された電線の一部を収納し、また電気接続部からの万一の発熱による発火の延焼を防止するため、スイッチやコンセントよりも一周り大きいサイズとなり、また材料の使用が多くなってしまい重量が重くなるなどの課題があった。
【発明の概要】
【発明が解決しようとする課題】
【０００４】
本発明は、上記課題を解決するためになされたもので、本発明の課題は、万一スイッチやコンセント電気接続部から発火した場合に、拡大被害を低減するための耐火カバーを軽量かつコンパクトなものとし、さらに奥行きの狭い空間においても、スイッチやコンセントからの配線取り回しにも配慮し、電線を痛めることなく住宅設備や機器などの取り付け箇所にすっきりと収めることができる電気機器取付構造を提供することである。
【課題を解決するための手段】
【０００５】
上記課題を解決するための本発明によれば、スイッチやコンセントなどの電気機器が取り付けられる電気機器取付構造であって、前記電気機器が電源ケーブルと接続される電気接続部と、耐火性材料からなる略四角形状の耐火カバーと、を備え、前記耐火カバーは一面が開口した開口部と、前記電気接続部に接続される前記電源ケーブルを貫通させるための貫通孔と、を有し、前記開口部に前記電気機器を挿入し、前記耐火カバーを前記電気機器に直接取り付けることで前記電気接続部を覆い、前記電気機器と前記耐火カバーを一体的に被取付部に取り付けることを特徴とする電気機器取付構造が提供される。これにより、電気接続部を耐火カバーで覆うことにより、スイッチやコンセントの電気接続部からの発火による拡大被害を縮小しながら、耐火カバーの開口部に電気機器を挿入することで、構造をコンパクトなものとすることが出来る。
【０００６】
請求項２記載の発明によれば、前記電気機器と、前記耐火カバーの一方に係止部を、
他方に係止具受部を設けたことを特徴とする電気機器取付構造が提供される。これにより、組立て性、施工性、メンテナンスでの着脱が容易に行うことができる。
【０００７】
また、請求項３記載の発明によれば、耐火カバーが薄い金属板からなる電気機器取付構造が提供される。これにより、重量を軽くし、使用材料を少なくすることができる。
【０００８】
請求項４記載の発明によれば、前記電線貫通用の穴を1箇所以上とした電気機器取付構造が提供される。これにより、電源線やわたり線の本数に応じて適切な取り出しとすることができる。
【０００９】
請求項５記載の発明によれば、耐火カバーに電線貫通用の穴を設け、貫通穴部を樹脂製のブッシュを取り付けた電気機器取付構造が提供される。これにより、電線を傷つけることなく、組立て、施工、メンテナンスの際にも電線の取り出しをスムーズにすることができる。
【００１０】
請求項６記載の発明によれば、請求項１乃至５の何れか１項に記載の電気機器取付構造によって電気機器を取り付けたキャビネットが提供される。これにより、万一のスイッチやコンセントの電気接続部からの発熱による発火の際の焼損を最小限に食い止めることができ、より安全なキャビネットにすることができる。
【００１１】
請求項７記載の発明によれば、請求項６に記載のキャビネットを備えた洗面化粧台が提供される。これにより、洗面化粧台における電気機器からの発火の際の焼損を最小限に食い止めることができ、より安全な洗面化粧台とすることができる。
【発明の効果】
【００１２】
本発明によれば、万一スイッチやコンセント電気接続部からの発熱により発火に至った際にも被害を最小限にすることができ、さらに奥行きの狭い空間においても、スイッチやコンセントからの配線取り回しにも配慮し、電線を痛めることなく住宅や機器などの取り付け箇所に収めることができるという効果がある。
【図面の簡単な説明】
【００１３】
【図１】本発明の実施形態を示す化粧キャビネットの斜視図である。
【図２】本発明の実施形態を示す化粧キャビネットの断面図である。
【図３】本発明の実施形態を示す耐火カバーの斜視図である。
【図４】本発明の実施形態を示す耐火カバーをコンセントに取付けた断面図である。
【図５】本発明の実施形態を示す耐火カバーをスイッチに取付けた図である。
【図６】本発明の実施形態を示す耐火カバーの取り付け図である。
【図７】本発明の実施形態を示す耐火カバーの側面及び上面図である。
【図８】本発明の実施形態を示す耐火カバーの断面図である。
【発明を実施するための形態】
【実施例】
【００１４】
以下に、本発明の実施例を図を用いて示す。
図１は化粧キャビネットを斜め上方から見た図である。化粧キャビネット１は、１枚以上の鏡で構成される鏡部１１と前面を照らすための照明部１２と収納物を収納するための収納部１４と照明部１２の照明や、鏡裏に設けられたくもり止めヒータ１３に電源を供給するためのスイッチ２と、ドライヤーなどの洗面化粧台で使用する機器のプラグを差し込むためのコンセント３を備えており、スイッチ２及びコンセント３の周辺は樹脂製の化粧プレート５で覆われている。
【００１５】
図２は化粧キャビネット１のコンセント３周辺の断面図である。
前記化粧プレート５に設けられたコンセントプレート係止凸部１５が金属製の取付け枠４に設けられた取り付け枠係止受け部１６に係止している。化粧プレート５の背面に、スイッチ２とコンセント３が着脱容易に取り付けられている金属製の取り付け枠４があり、金属製の取り付け枠４の化粧キャビネット１への固定箇所には耐火カバー６の厚み分段差が設けてあり、耐火カバー６を化粧キャビネット１と取り付け枠４の間に挟み込み、ネジ止めして取付けられている。前記金属製の取り付け枠４の段差はなくてもよい。
【００１６】
図３は耐火カバー６の斜視図である。
耐火カバー６は、薄い金属板で作成され、１方を開口した略箱形状をしている。耐火カバー６の１方の側面には、対向する位置にスイッチ２やコンセント３へ取り付けるための耐火カバー係止凸部１７と、化粧キャビネット１への取り付け時に、化粧キャビネット１と取り付け枠４の間に挟みこまれ固定されるひっかけ爪部１０がある。開口側で各側板の端面は、電線をキズつけないように、端面処理などがされている。耐火カバー６の背面側には電線貫通穴８が開口しており、保護部材９が勘合により取り付けられている。前記ひっかけ爪部１０は無くてもよい。耐火カバー６に用いられる金属板は、めっきや塗装などの表面処理が施されている。
【００１７】
図４は、コンセント３に耐火カバー６を取付けた断面図である。
コンセント３のコンセントカバー部１９の対向する側面１８にはコンセントカバー係止凹み部２６が設けてある。耐火カバー６には耐火カバー係止凸部１７が設けてあり、耐火カバー６はコンセントカバー部１９のコンセントカバー係止凹み部２６に勘合して取り付ける。コンセントカバー係止凹み部２６はコンセントカバー部１９に設けてもよいし、コンセント本体２０でもよい。コンセント３に凸部、耐火カバー６に凹み部の組み合わせでもよい。取り付けのための凹凸は側面１８に隣り合う別の側面に設けてもよい。
【００１８】
耐火カバー６は、耐火カバー係止凸部１７の設けられた対向幅方向で、コンセント３の幅と略同一に取りつけられている。耐火カバー６の開口部分はコンセント３の幅よりも少し小さめに設定されて、金属板のバネ性によりコンセント３を挟み込み係止される。
【００１９】
図５はスイッチ２に耐火カバー６を取付けた図である。スイッチ本体には係止のためのスイッチカバー係止凹み部２８が設けてある。耐火カバーには耐火カバー係止凸部１７が設けてあり、耐火カバー６はスイッチ本体のスイッチカバー係止凹み部２８に勘合して取り付ける。スイッチカバー係止凹み部２８はスイッチカバー部２４側に設けてもよいし、スイッチ本体部２５側でもよい。スイッチ２側に凸部、耐火カバー６に凹み部の組み合わせでもよい。取り付けのための凹凸は側面１８に隣り合う別の側面に設けてもよい。
【００２０】
図６は耐火カバー６の取付けを示す図である。
耐火カバー６の電線貫通穴８に電線２１を通し、電線２１を電気接続部２２に接続しておく。耐火カバー６をスイッチ２、コンセント３背面から通し、スイッチ２、コンセント３の側面をスライドさせて図の矢印に示す方向にはめ込む。スイッチ２、コンセント３の本体側面には耐火カバー６をスライドしやすいように、勾配２７がついている。コンセント３にはコンセントカバー部１９とコンセント本体部２０を接続するための、かしめ金具２３よりも高さのあるガイドするための勾配がついている。耐火カバー６の側面が少し広げられながら取り付けられ、耐火カバー６の耐火カバー凸部１７がスイッチ２、コンセント３の凹み部に入ることで耐火カバー６はバネ性により固定される。耐火カバー６を取付けたスイッチ２、コンセント３を組み付けたユニットは化粧キャビネット１にネジ止めなどで固定される。なお、本体への固定方法はここに示したものに限定されるものではない。
【００２１】
図７の（ａ）は耐火カバー６の別の実施形態を示す側面図で、図７の（ｂ）は上面図である。
耐火カバー６の側面には耐火カバー側面凹み部３０が設けてある。前記耐火カバー側面凹み部３０に係止するように、略コの字状に曲げられた先端には、広がり防止部２９が設けてある。前記耐火カバー側面凹み部３０は一側面に設けても良いし、対向する側面と1箇所ずつ設けてもよい。略コの字状に曲げられた幅方向は耐火カバー６の耐火カバー凸部１７の設けられた対向する幅よりも少し小さめになっている。なお、耐火カバーを作成する際の曲げ形状により、勘合力を強める、抜けにくくする、等の効果が得られる。
【００２２】
図８は耐火カバー凸部１７の実施形態を示す断面図である。
耐火カバー６の側面の耐火カバー凸部１７は、組み付けがしやすいように、取付け用傾斜３１が設けられている。耐火カバー凸部１７の取り付け用傾斜３１と反対側に、略９０度の抜け防止係止部３２が設けられている。これにより容易に抜けないようになっている。
【００２３】
なお、本発明は上記実施例に限られるものではなく、本発明を逸脱しない範囲において、自由に設計変更することが出来るものである。
【符号の説明】
【００２４】
１  化粧キャビネット
２  スイッチ
３  コンセント
４  取り付け枠
５  化粧プレート
６  耐火カバー
７  スイッチコンセントユニット
８  電線貫通穴
９  保護部材
１０ひっかけ爪部
１１鏡部
１２照明部
１３曇り止めヒータ部
１４収納部
１５コンセントプレート係止凸部
１６取り付け枠係止受け部
１７耐火カバー凸部
１９コンセントカバー部
２０コンセント本体部
２１電線
２２電気接続部
２３かしめ金具
２４スイッチカバー部
２５スイッチ本体部
２６コンセントカバー係止凹み部
２７勾配
２８スイッチカバー係止凹み部
２９広がり防止部
３０耐火カバー側面凹み部
３１取付け用傾斜
３２抜け防止係止部
【図１】
2010283001.tif 000003
【図２】
2010283001.tif 000004
【図３】
2010283001.tif 000005
【図４】
2010283001.tif 000006
【図５】
2010283001.tif 000007
【図６】
2010283001.tif 000008
【図７】
2010283001.tif 000009
【図８】
2010283001.tif 000010